(57)【要約】【課題】バック等にコンパクトに収納できる、後付けタイプのビューファインダーを提供する。【解決手段】カメラ本体１に設けられたアクセサリーシュー５にビューファインダー６のレール９とストッパ９ａ，９ｂに保持された接続部材８を差し込むことによりビューファインダー６をカメラ本体１に取り付けるようにした。取り付けた後、ビューファインダー６を光軸方向に移動可能としたので、撮影時に突出した接眼部６ａをバック等への収納時にはカメラ本体１の被写体側に移動できるので、コンパクトに収納することが可能となる。【選択図】図１
2015225325.tif 000002
【特許請求の範囲】
【請求項１】
カメラ本体に対して着脱自在に取り付けられるビューファインダーであって、ファインダー部をカメラ本体のアクセサリシューに着脱可能に装着すると共に装着された前記ファインダ部を光軸方向に移動可能にする接続手段とを備えたことを特徴とするビューファインダー。
【請求項２】
前記接続手段が、前記アクセサリーシューに挿入される接続部材と、前記接続部材に対して前記ファインダ部を光軸方向に移動可能にするレールと、前記レールの両端部に設けた二つのストッパとを備えていることを特徴とする請求項１に記載のビューファインダ。
【請求項３】
前記ファインダ部が、収納状態で略カメラ本体の厚さの内側に収納できることを特徴とする請求項１又は２に記載のビューファインダ。
【請求項４】
請求項１乃至３のいずれかに記載のビューファインダを備えていることを特徴とするカメラ。
【発明の詳細な説明】
【技術分野】
【０００１】
本発明は、カメラ本体に対して着脱可能に取り付けられるアクセサリータイプのビューファインダー及びこのビューファインダーを備えたカメラに関する。
【背景技術】
【０００２】
従来、このような分野の技術として、例えば以下の特許文献１がある。この特許文献１に記載された電子ビューファインダー３０は、カメラ本体１０のアクセサリーシュー２６に脚部４４をスライドさせて挿入させた後、固定リング４５によりカメラ本体に固定される。この着脱可能な後付けタイプの電子ビューファインダー３０は、図面から理解できるようにカメラ本体１０に鼻が当たらないように、アイカップ４０（接眼部４９）をカメラ本体１０から所定の距離だけ突出させている。
【先行技術文献】
【特許文献】
【０００３】
【特許文献１】特開平１１−３５５６１８号公報
【発明の概要】
【発明が解決しようとする課題】
【０００４】
しかしながら、特許文献１に記載の電子ビューファインダー３０は、アイカップ（接眼部）がカメラ本体の背面側から突出しているため、電子ビューファインダーを取り付けた状態ではカメラ全体が光軸方向に厚くなり、そのため、薄いバック等への収納性が悪く、また、ショルダーベルトによるカメラの携帯時やバック等への収納時に突出した部分を引っ掛けたりして破損する虞れがある。そうかと言って、収納や携帯の都度、電子ビューファインダーを取り外していては、次の撮影のタイミングを逸してしまう問題もある。
【０００５】
本発明は、上記事情に対処することを課題の一例とするものである。すなわち、コンパクトで収納性が良く、且つ携帯時や取り扱い時の破損の虞のなく、撮影のタイミングを逸することなく好適に使用できる後付けタイプのビューファインダーを提供することを目的とする。
【課題を解決するための手段】
【０００６】
上記の目的を達成するために、本発明によるビューファインダーは、カメラ本体に対して着脱自在に取り付けられるビューファインダーであって、ファインダー部をカメラ本体のアクセサリシューに着脱可能に装着すると共に装着されたファインダ部を光軸方向に移動可能にする接続手段とを備えているようにした、ことを特徴とするビューファインダー。
【０００７】
また、本発明のビューファインダーは、接続手段が、アクセサリーシューに挿入される接続部材と、接続部材に対してファインダー部を光軸方向に移動可能にするレールと、レールの両端部に設けた二つのストッパとを備えていることが好ましい。
【０００８】
また、本発明のビューファインダーは、ファインダー部が、収納状態で略カメラ本体の厚さの内側に収納できるようにすることが好ましい。
【０００９】
さらに、本発明のカメラは、上記発明のビューファインダーを備えていることを特徴とする。
【発明の効果】
【００１０】
本発明に係るビューファインダーによれば、カメラに取り付けたままでスライド可能にしたことにより、光軸方向の薄型化が可能となり、バック等への収納性が良く、且つショルダーベルトでの携帯時や取り扱い時の破損の虞がないので、携帯性を格段に向上させることができる。さらに、撮影タイミングを逸することなく好適に使用できる。
【図面の簡単な説明】
【００１１】
【図１】本発明に係る電子ビューファインダーをカメラ本体に取り付けた収納状態を    示す斜視図。
【図２】図１の状態からファインダー部を被写体像の観察可能位置に移動させた状態    を示す斜視図。
【図３】電子ビューファインダーとカメラ本体の取り付け状態を示す背面図。
【図４】カメラ本体を後方側から見た斜視図。
【図５】電子ビューファインダーを下方側から見た斜視図。
【発明を実施するための最良の形態】
【００１２】
本発明の実施の形態を図示した実施例により説明する。本発明のビューファインダーは、被写体像を光学レンズを通過した被写体光により観察するように構成された光学ビューファインダーとすることも、カメラ本体から供給された映像信号により被写体像を観察するように構成された電子ビューファインダーとすることも可能であるが、本実施例は、電子ビューファインダーとして構成したものである。
【００１３】
先ず、カメラ及び電子ビューファインダー６の構成から説明する。その説明に際しては、被写体側を正面側と称し、液晶モニター側を背面側と称する。カメラ本体１には、その正面側にレンズ鏡筒２が設けられ、背面側には液晶モニター３が配設されており、さらに、カメラ本体の上部には各種の操作ボタン４と周知のアクセサリーシュー５が配設されている。また、電子ビューファインダー６には、ファインダー部７をアクセサリーシュー５に取り付けるための接続手段を備えている。
【００１４】
ファインダー部７は、カメラ本体１側から出力される被写体像の映像信号を観察できる接眼部７ａと、アクセサリシュー５に取り付けられた時、その取り付け状態を自動的にロックして取り外せないようにする図示しないロック手段と、ロック解除して電子ビューファインダ−６をカメラ本体１から取り外し可能とするために図示しないロック手段に作用するロック解除ボタン７ｂとを備えている。尚、ファインダー部７の主な内部構成は、カメラ本体１から供給される被写体像の映像信号を表示する表示部と、表示部の画像を拡大して接眼部７ａに導く光学レンズ系とによって構成されるが、詳細な説明は省略する。
【００１５】
接続手段は、接続部材８と、接続部材８を光軸方向に移動可能に保持するためにファインダー部７に設けられた光軸方向に伸長する２本のレール７ｃと、レール７ｃの正面側と背面側の両端に各々設けられた二つのストッパ７ｄ，７ｅとにより構成される。
【００１６】
このように構成された電子ビューファインダー６をカメラ本体１に取り付ける際には、先ず、ファインダー部７にレール７ｃを介して設けられた接続部材８を、アクセサリシュー５の背面側から差し込む。この時、接続部材８は背面側のストッパ７ｄに位置付けられていれば、そのままの状態でアクセサリーシュー５に挿入できる。しかし、接続部材８が、背面側のストッパ７ｄ以外に位置付けられていたとしても、アクセサリシュー５に差し込むにつれて接続部材８がレール７ｃ内を移動して背面側のストッパ７ｄに位置付けられるので、この場合も容易に取り付けることができる。そして、ファインダー部７のカメラ本体１への取り付けが完了すると、図示しないロック手段によりアクセサリシュー５と電子ビューファインダー６の取り付け状態がロックされる。このような状態が図１に示されている。
【００１７】
次に、ファインダー部７を被写体像の観察可能な状態に移動するには、ファインダー部７をレール７ｃの正面側のストッパ７ｅに当接するまで指で後方に向けて移動させる。これにより、ファインダー部７の接眼部７ａとカメラ本体１の液晶モニター３との間に所定の間隔を設けることができるので、鼻をカメラ本体１の背面側に接触させることなく好適に撮影ができるようになる。このような状態が図２に示されている。
【００１８】
被写体像の観察終了後、電子ビューファインダー６をカメラ本体１に取り付けたまま、バックに収納したり、またショルダーベルトにつけて携帯する場合には、ファインダー部７をレール７ｃの背面側のストッパ７ｄに当接するまで指で押して移動させて図１に示された状態に戻す。これにより電子ビューファインダー６を取り付けた状態でもファインダー部が、カメラ本体の厚さ（光軸方向の寸法）の略内側に収納できるので、カメラの光軸方向の厚さが薄くなり、コンパクト化が達成できる。
【００１９】
また、電子ビューファインダー６をカメラ本体１から取り外す場合は、ファインダー部７を背面側に押して接続部材８をレール７ｃの正面側のストッパ７ｅに当接させた後、ロック解除ボタン７ｂを押しながらさらに、背面側に押すことでアクセサリーシュー５から接続部材８を引き抜くことができる。
【００２０】
このように、本実施例においては、ファインダー部７とカメラ本体１の相対位置を簡単に変えることができるので、収納時のコンパクト化が可能となり、また携帯時や操作時の電子ビューファインダーの破損を防止でき、さらに撮影タイミングを逸することがないようになっている。
【産業上の利用可能性】
【００２１】
以上述べたように、本発明のビューファインダーは、カメラ全体をコンパクトにできるため、一眼カメラ、ミラーレスカメラ等の光学機器にも適用できる。
【符号の説明】
【００２２】
１            カメラ本体
２            レンズ鏡筒
３            液晶モニター
４            カメラ操作ボタン
５            アクセサリーシュー
６            電子ビューファインダー
７            ファインダー部
７ａ          接眼部
７ｂ          ロック解除ボタン
７ｃ          レール
７ｄ，７ｅ    ストッパ
８            接続部材
【図１】
2015225325.tif 000003
【図２】
2015225325.tif 000004
【図３】
2015225325.tif 000005
【図４】
2015225325.tif 000006
【図５】
2015225325.tif 000007